(57)【特許請求の範囲】
【請求項１】
天井支持材に固定され、下面中央に長手方向を向くスリットが形成されるとともに、前記スリットへ挿通した吊支ボルトにより間仕切パネルを吊支したランナが、内部を走行するようにしたレールにおける前記スリットの開口縁部に垂下片を設け、この垂下片に連結した天井見切材により、天井パネルを支持してなる移動間仕切装置において、
前記天井見切材が、前記垂下片の外側面に重合して、ねじ止めされた垂直片と、この垂直片の下端に連設された水平片とを備え、前記水平片における外向縁により、天井パネルを支持し、かつ前記水平片における内向縁の先端に、前記吊支ボルトに可及的に近接する起立片を設けたことを特徴とする移動間仕切装置。
【請求項２】
起立片の上端に、外向きの折返し片を設け、この折返し片の先端を、垂下片の内面に当接させた請求項１記載の移動間仕切装置における天井見切材の取付構造。
【請求項３】
天井見切材における水平片の内向縁と、起立片と、外向きの折返し片とを、正面視外向きコ字状に形成した請求項２記載の移動間仕切装置。
【請求項４】
天井見切材の垂直片を垂下片にねじ止めする締付ねじにおける前記垂下片より内方への突出部分が、起立片により覆われるようにした請求項１〜３のいずれかに記載の移動間仕切装置。
【請求項５】
天井見切材における水平片の外向縁に、下方に向かって突出する正面視上向きコ字状の飾り縁を設けた請求項１〜４のいずれかに記載の移動間仕切装置。
【発明の詳細な説明】
【技術分野】
【０００１】
本発明は、室内を移動式の間仕切パネルによって仕切る移動間仕切装置であって、特に、天井見切材の取付構造に特徴を有するものに関する。
【背景技術】
【０００２】
この種の移動間仕切装置においては、下面中央に長手方向のスリットを設けたレールを、天井支持材に固定するとともに、レールの内部に沿って走行するようにしたランナと一体をなす吊支ボルトを、上記スリットを経て垂下し、かつレールの下端に、天井パネルの側縁部を支持するとともに、レールと天井パネルとの間を体裁良く塞ぐ天井見切材を取り付けたものが多い。
【０００３】
上記天井見切材は、従来、間仕切パネルの厚さ等に適合するものを選んで、レールの下面にねじ止めして取り付けられている。
しかし、このような天井見切材の取付け構造では、作業者は、上方を向いてねじ止め作業をしなければならないため、作業性が悪く、しかも、天井見切材の下面にねじの頭部が露呈し、体裁が悪い。
【０００４】
そこで、このような問題を解決するものとして、本発明者は、レールにおけるスリットの開口縁部に垂下片を設けるとともに、この垂下片の下端に外向きのフランジを設け、天井見切材に、上方に向かって開口し、かつ上記フランジに下方より嵌合する嵌合部と、レール側に傾くようにして立設された傾斜片と、この傾斜片に、その傾斜面と直交するように設けたねじ孔に螺合し、先端がフランジの上面に当接するようにした締付ねじとを設け、締付ねじの先端と嵌合部とにより、上記フランジを上下から挟むようにした移動間仕切装置を開発している(例えば特許文献１参照)。
【特許文献１】特開２００２−３８８０７号公報
【発明の開示】
【発明が解決しようとする課題】
【０００５】
しかし、特許文献１に記載されているものでは、締付ねじを斜め上方からフランジの上面に向かって締め付けなければならないため、その作業性が十分によいとは言えず、また、締付ねじを斜めにして、フランジを締め付けるようにしているので、締付ねじに、軸線と直交する方向の曲げ応力が発生し、強度的に好ましくない。また、締付ねじの締付量に応じて、天井見切材の下面の高さが変動し、上下方向の位置決めが安定しない。
【０００６】
本発明は、従来の技術が有する上記のような問題点に鑑み、天井見切材を、楽な姿勢でレールの下面に取り付けることができ、作業性および作業効率の向上を図ることができるとともに、天井見切材の上下位置調節を簡単に行うことができ、しかも、吊支ボルトを挿通するレールのスリットの幅を狭め、かつ締付ねじが露呈しないようにすることにより、外観を洗練されたものとすることができ、さらに、構造が簡単で、安価に製造しうるようにした移動間仕切装置を提供することを目的としている。
【課題を解決するための手段】
【０００７】
本発明によると、上記課題は、次のようにして解決される。
（１）天井支持材に固定され、下面中央に長手方向を向くスリットが形成されるとともに、前記スリットへ挿通した吊支ボルトにより間仕切パネルを吊支したランナが、内部を走行するようにしたレールにおける前記スリットの開口縁部に垂下片を設け、この垂下片に連結した天井見切材により、天井パネルを支持してなる移動間仕切装置において、前記天井見切材が、前記垂下片の外側面に重合して、ねじ止めされた垂直片と、この垂直片の下端に連設された水平片とを備え、前記水平片における外向縁により、天井パネルを支持し、かつ前記水平片における内向縁の先端に、前記吊支ボルトに可及的に近接する起立片を設ける。
【０００８】
（２）上記(１)項において、起立片の上端に、外向きの折返し片を設け、この折返し片の先端を、垂下片の内面に当接させる。
【０００９】
（３）上記(２)項において、天井見切材における水平片の内向縁と、起立片と、外向きの折返し片とを、正面視外向きコ字状に形成する。
【００１０】
（４）上記(１)〜(３)項のいずれかにおいて、天井見切材の垂直片を垂下片にねじ止めする締付ねじにおける前記垂下片より内方への突出部分が、起立片により覆われるようにする。
【００１１】
（５）上記(１)〜(４)項のいずれかにおいて、天井見切材における水平片の外向縁に、下方に向かって突出する正面視上向きコ字状の飾り縁を設ける。
【発明の効果】
【００１２】
本発明によると、次のような効果を奏することができる。
請求項１記載の発明によると、天井見切材を、その垂直片を垂下片の外側面に重合させて、その外側方からねじ止めするだけで、楽な姿勢でレールに対して簡単に取り付けることができ、作業性の向上を図ることができるとともに、天井見切材の上下位置調節を簡単に行うことができる。
また、水平片における内向縁と起立片とにより、吊支ボルトが挿通するレールのスリットの幅を狭めて、外観をよくすることができる。
しかも、構造が簡単で、安価に製造することができる。
【００１３】
請求項２記載の発明によると、起立片の上端に、外向きの折返し片を設け、この折返し片の先端を、垂下片の内面に当接させてあるので、レールに対する天井見切材の内外方向の位置決めが簡単になされるとともに、天井見切材の水平片における外向縁による天井パネルの支持強度が大幅に増す。
【００１４】
請求項３記載の発明によると、天井見切材における水平片の内向縁と、起立片と、外向きの折返し片とを、正面視外向きコ字状に形成してあるので、レールの下面における吊支ボルトが挿通する部分の体裁をよくすることができる。
【００１５】
請求項４記載の発明によると、天井見切材の垂直片を垂下片にねじ止めする締付ねじにおける前記垂下片より内方への突出部分が、起立片により覆われるようにしてあるので、締付ねじが外部に露呈することがなく、美麗な外観を呈することができる。
【００１６】
請求項５記載の発明によると、天井見切材における水平片の外向縁に、下方に向かって突出する正面視上向きコ字状の飾り縁を設けてあるので、天井見切材と、天井パネルおよび間仕切パネルとの見切りをよくすることができるだけでなく、この上向きコ字状の飾り縁により、天井見切材における水平片の外向縁の先端部分を補強し、天井パネルの支持強度を高めることができる。
【発明を実施するための最良の形態】
【００１７】
本発明の一実施形態を、添付図面を参照して説明する。
図１および図２は、本発明の一実施形態の要部を示す。
移動式の間仕切パネル(Ｐ)を案内する水平のレール(１)は、下面中央に長手方向を向くスリット(２)を設けた角管状をなし、図示を省略した建築物のスラブ等の天井支持材に、直接または吊支杆を介して取り付けられ、スリット(２)へ挿通した吊支ボルト(３)により、間仕切パネル(Ｐ)を吊支したランナ(４)が、内部を自由に走行しうるようになっている。
【００１８】
レール(１)の下面のスリット(２)の対向縁部には、左右１対の垂下片(５)(５)の上端に外向きに直角に折曲形成した取付片(６)(６)が、溶接により固着されている。
【００１９】
前記スリット(２)の縁部下面には、それぞれ、天井パネル(８)のレール(１)寄りの縁部を支持するとともに、天井パネル(８)とレール(１)との境界部分、およびレール(１)と間仕切パネル(Ｐ)との境界部分を体裁良く飾る左右１対の天井見切材(７)(７)が取り付けられている。各天井見切材(７)は、適宜折曲した２枚の鋼板を接合して形成されている。
【００２０】
各天井見切材(７)は、前記垂下片(５)の外側面に重合して、タッピングねじからなる締付ねじ(９)をもってねじ止めした垂直片(10)と、垂直片(10)の下端に連設した水平片(11)とを備え、水平片(11)における外向縁(11a)により、天井パネル(８)を支持するようになっている。
【００２１】
水平片(11)における内向縁(11b)の内端には、前記吊支ボルト(３)に可及的に近接する起立片(12)が設けられ、起立片(12)の上端には、外向きの折返し片(13)が連設され、これらの内向縁(11b)と起立片(12)と折返し片(13)とにより、垂下片(５)よりレール(１)のスリット(２)の内方へ向かって突出する正面視外向コ字状突出部(14)が形成されている。
【００２２】
前記水平片(11)の外向縁(11a)の先端には、正面視上向きコ字状の飾り縁(15)が設けられている。
【００２３】
天井見切材(７)は、その折返し片(13)の外端が、垂下片(５)の内面に当接するようにして、垂直片(10)を、垂下片(５)の外側面に重合し、高さを調整した上で、締付ねじ(９)をもって、垂直片(10)を垂下片(５)にねじ止めすることにより、レール(１)の下面に取り付けられる。
【００２４】
この締付ねじ(９)のねじ止め作業は、垂直片(10)の外側方から、楽な姿勢で行うことができ、作業性および作業効率の向上を図ることができるとともに、天井見切材(７)の上下位置調節を、自由に、かつ簡単に行うことができる。
【００２５】
また、水平片(11)における内向縁(11b)と起立片(12)とにより、吊支ボルト(３)が通るレール(１)のスリット(２)の幅は狭められるため、外観をよくすることができる。しかも、構造が簡単で、安価に製造することができる。
【００２６】
さらに、図１に示すように、締付ねじ(９)における垂下片(10)より内方への突出部分が、天井見切材(７)における外向コ字状突出部(14)内に位置し、起立片(12)により覆われるようにしてあるので、締付ねじ(９)のねじ部の先端部が外部に露呈することがなく、体裁がよい。
【００２７】
しかして、各天井見切材(７)における水平片(11)の外向縁(11a)上、より正確には、飾り縁(15)上に、天井パネル(８)におけるレール(１)寄りの縁部を載置して、天井パネル(８)を支持すると、締付ねじ(９)の頭部も、天井パネル(８)により隠蔽され、締付ねじ(９)が、室内より見えることは全くない。
【００２８】
また、折返し片(13)の外端を、垂下片(５)の内面に当接させてあるので、レール(１)に対する天井見切材(７)の内外方向の位置決めを簡単に行ないうるとともに、天井見切材(７)の水平片(11)における外向縁(11a)による天井パネル(８)の支持強度が大である。
【００２９】
さらに、天井見切材(７)における水平片(11)の外向縁(11a)に、下方に向かって突出する正面視上向きコ字状の飾り縁(15)を設けてあるので、天井見切材(７)と、天井パネル(８)および間仕切パネル(Ｐ)との見切りをよくすることができるだけでなく、この上向きコ字状の飾り縁(15)により、天井見切材(７)における水平片(11)の外向縁(11a)の先端部分を補強し、天井パネル(８)の支持強度を高めることができる。
【００３０】
なお、間仕切パネル(Ｐ)をレール(１)に沿う予め定めた位置に停止させて、間仕切パネル(Ｐ)の上端部に設けたシール材(16)を上方に突出させたとき、このシール材(16)の上端は、左右の天井見切材(７)(７)における両飾り縁(15)(15)の間において、左右の水平片(11)(11)の下面を圧接するようにしてある。
【００３１】
以上、本発明の好ましい実施形態について説明したが、本発明は、特許請求の範囲を逸脱しない範囲内で、上記実施形態に種々の変形や変更を施すことも可能である。
例えば、天井見切材(７)における折返し片(13)や飾り縁(15)を省略して実施することもできる。飾り縁(15)を省略した場合、各天井パネル(８)の縁部は、水平片(11)における外向縁(11a)上に載置される。
【図面の簡単な説明】
【００３２】
【図１】本発明の一実施形態の要部の縦断正面図である。
【図２】同じく、要部の拡大分解斜視図である。
【符号の説明】
【００３３】
(Ｐ)間仕切パネル
(１)レール
(２)スリット
(３)吊支ボルト
(４)ランナ
(５)垂下片
(６)取付片
(７)天井見切材
(８)天井パネル
(９)締付けねじ
(10)垂直片
(11)水平片
(11a)外向縁
(11b)内向縁
(12)起立片
(13)折返し片
(14)外向コ字状突出部
(15)飾り縁
(16)シール材
【図１】
0004673716.tif 000002
【図２】
0004673716.tif 000003